(57)【要約】【課題】平板状に配線されたケーブルの接続に適した防水構造を有するコネクタを提供する。【解決手段】コネクタ１が、フラットケーブル１００と、接続端子４０，５０と、接続端子４０，５０が収容保持されるハウジング６０と、フラットケーブル１００を保持するリテーナ３０と、開口６８を塞ぐ防水ゴム２０と、防水ゴム３０を覆うカバー１０とを有し、防水ゴム２０に、後面に開口して前方に延びる凹部からなるポスト圧入凹部２３と、前後に貫通してフラットケーブル１００が前後に通される長穴部２１とが形成され、カバー１０に前方に突出してポスト圧入凹部２３に圧入可能なポスト１６が形成され、カバー１０が防水ゴム２０に取り付けられるとポスト圧入凹部２３に圧入されたポスト１６がポスト圧入凹部２３を弾性的に押し拡げることにより、長穴部２１に通されたフラットケーブル１００が押圧されて防水ゴム２０に密着する。【選択図】図４
2008084671.tif 000002
【特許請求の範囲】
【請求項１】
平板帯状の絶縁シート上に導体が配線されたフラットケーブルと、前記フラットケーブルの前端部に接続される接続端子と、後部に後方に向けて開口する開口が形成され、前記フラットケーブルに接続されて前方に延びる接続端子が収容保持される収容部材と、前記接続端子の後方において前記開口を塞ぐ状態で前記収容部材に収容される弾力性のある閉塞部材と、前記閉塞部材に取り付けられて前記閉塞部材の後方から前記閉塞部材を覆うカバー部材とを有して構成され、前記フラットケーブルが前記閉塞部材および前記カバー部材を通して外部に向けて後方に延びるコネクタであって、
前記閉塞部材に、前記閉塞部材の後面に開口して前方に延びる凹部からなるカバー圧入凹部と、前後に貫通して前記フラットケーブルが前後に通されるスリット状のケーブル取付孔とが形成され、
前記カバー部材に前方に突出して前記カバー圧入凹部に圧入可能な突出部が形成され、
前記カバー部材が前記閉塞部材に取り付けられると前記カバー圧入凹部に圧入された前記突出部が前記カバー圧入凹部を弾性的に押し拡げることにより、前記ケーブル取付孔に通された前記フラットケーブルが押圧されて前記閉塞部材に密着することを特徴とするコネクタ。
【請求項２】
前記収容部材における前記閉塞部材の前方に左右移動可能に配置され、係止位置に移動することにより前記フラットケーブルを前記収容部材内で係止保持可能な保持部材を有し、
前記カバー部材に前方に突出する押出部が形成され、
前記閉塞部材に前記押出部を前後に挿通可能な押出部挿通孔が形成され、
前記保持部材に、前後に貫通して前記フラットケーブルが前後に通されるスリット状のケーブル挿通孔と、前記ケーブル挿通孔に通された前記フラットケーブルを係止可能な係止部と、前記カバー部材が前記閉塞部材に取り付けられるときに前記押出部挿通孔を通して前方に移動する前記押出部が当接する当接部とが形成され、
前記カバー部材が前記閉塞部材に取り付けられると前方に移動する前記押出部が前記当接部に当接しながら前記保持部材を左右方向に押し出すことにより、前記保持部材が前記係止位置に移動して前記フラットケーブルが前記係止部により係止保持されることを特徴とする請求項１に記載のコネクタ。
【発明の詳細な説明】
【技術分野】
【０００１】
本発明は、例えば自動車等の電気配線の接続に使用され、接続端子を有するコネクタに関する。
【背景技術】
【０００２】
自動車等の電気配線として一般に用いられる丸型ケーブルはコネクタ内部に取り付けられた接続端子に圧着接続され、コネクタを相手側コネクタに嵌合接続させることでコネクタを介してケーブル同士が電気的に接続されるように構成されている。このようなコネクタは、接続端子が水や油に濡れると絶縁性が悪くなって接続端子同士の短絡の原因になるため、コネクタ内部に水等が入り込まないように防水処理が施されている。コネクタ内部の防水処理の方法として、例えば、特許文献１に記載されているように、コネクタに内蔵された接続端子とケーブルとの接続部分（圧着部分）に樹脂モールドを施してモールド部を形成し、このモールド部により接続部分を封止するものが知られている。あるいは、防水処理の方法として、コネクタに形成されたケーブルを通すためのケーブル挿入穴に穴の開いたゴム等を材質とする防水栓を設けたものも知られている。この防水処理の方法では、防水栓の穴にケーブルを通すようにしてケーブルがコネクタにセットされ、ケーブルが通されるとケーブルと防水栓とが密着することでコネクタ内部に水等が入り込まないようになっている。
【特許文献１】特開２００１−１６７８２１号公報
【発明の開示】
【発明が解決しようとする課題】
【０００３】
ところで、近年、自動車等に搭載されるケーブルとして、平板帯状の絶縁シート上に導体が配線された可撓性を有するフレキシブルフラットケーブルが多用されるようになっている。フレキシブルフラットケーブル同士を接続したり、フレキシブルフラットケーブルと他の電気接続部材とを接続したりする場合には、接続端子を有したコネクタが用いられる。このようなフレキシブルフラットケーブルは、複数の導体が並設されて配線されている平板帯状の形状からなるため、丸型ケーブルの場合とは異なり接続端子に圧着されるのではなく、接続端子の複数のアーム部間に差し込まれるようにして接続され、アーム部によって弾性的に挟持される。
【０００４】
このようなコネクタ構成の下、フレキシブルフラットケーブルを使用した場合にも丸型ケーブルを使用した場合と同様にコネクタ内部に水や油が入り込まないようにする必要があるが、防水のための構成は、コネクタを構成する各部材からコネクタを組み立てる場合の組立容易性が確保され、且つ、確実に防水できるものでなくてはならない。また、上記のように、フレキシブルフラットケーブルを用いる場合、ケーブルは接続端子に差し込まれるようにして接続されて弾性的に挟持されるため、ケーブルの接続端子からの抜けを防止することも必要であり、ケーブルを確実にコネクタに保持させる必要がある。
【０００５】
以上のような問題に鑑みて、本発明では、平板帯状の絶縁シート上に導体が配線されたフレキシブルフラットケーブルを接続するのに適した防水構造を有するコネクタを提供することを目的とする。
【課題を解決するための手段】
【０００６】
前記課題を解決するために本発明に係るコネクタは、平板帯状の絶縁シート上に導体が配線されたフラットケーブル（例えば、実施形態におけるＦＦＣ１００）と、フラットケーブルの前端部に接続される接続端子と、後部に後方に向けて開口する開口が形成され、フラットケーブルに接続されて前方に延びる接続端子が収容保持される収容部材（例えば、実施形態におけるハウジング６０）と、接続端子の後方において開口を塞ぐ状態で収容部材に収容される弾力性のある閉塞部材（例えば、実施形態における防水ゴム３０）と、閉塞部材に取り付けられて閉塞部材の後方から閉塞部材を覆うカバー部材（例えば、実施形態におけるカバー１０）とを有して構成され、フラットケーブルが閉塞部材およびカバー部材を通して外部に向けて後方に延びて構成され、閉塞部材に、閉塞部材の後面に開口して前方に延びる凹部からなるカバー圧入凹部（例えば、実施形態におけるポスト圧入凹部２３）と、前後に貫通してフラットケーブルが前後に通されるスリット状のケーブル取付孔（例えば、実施形態における長穴部２１）とが形成され、カバー部材に前方に突出してカバー圧入凹部に圧入可能な突出部（例えば、実施形態におけるポスト１６）が形成され、カバー部材が閉塞部材に取り付けられるとカバー圧入凹部に圧入された突出部がカバー圧入凹部を弾性的に押し拡げることにより、ケーブル取付孔に通されたフラットケーブルが押圧されて閉塞部材に密着する。
【０００７】
また、上記構成のコネクタにおいて、収容部材における閉塞部材の前方に左右移動可能に配置され、係止位置に移動することによりフラットケーブルを収容部材内で係止保持可能な保持部材（例えば、実施形態におけるリテーナ３０）を有し、カバー部材に前方に突出する押出部が形成され、閉塞部材に押出部を前後に挿通可能な押出部挿通孔が形成され、保持部材に、前後に貫通してフラットケーブルが前後に通されるスリット状のケーブル挿通孔と、ケーブル挿通孔に通されたフラットケーブルを係止可能な係止部と、カバー部材が閉塞部材に取り付けられるときに押出部挿通孔を通して前方に移動する押出部が当接する当接部（例えば、実施形態におけるテーパ面３４）とが形成され、カバー部材が閉塞部材に取り付けられると前方に移動する押出部が当接部に当接しながら保持部材を左右方向に押し出すことにより、保持部材が係止位置に移動してフラットケーブルが係止部により係止保持されるのが好ましい。
【発明の効果】
【０００８】
本発明に関するコネクタによれば、閉塞部材に形成されたスリット状のケーブル取付孔に通されるフラットケーブルが、カバー部材の閉塞部材への取り付けとともに閉塞部材に密着する構成になっている。このため、複数の導体が並設されて配線された平板帯状のフラットケーブルを使用したコネクタを確実に防水することが可能である。コネクタの組み立てはカバー部材の閉塞部材への取り付けにより簡単に行うことができるため、防水効果を有するとともにコネクタの組立容易性も確保されている。軽量で薄型の平板帯状のフラットケーブルを用いることで、特に自動車等限られた空間内に配線することが可能であるが、本発明に係るコネクタは、このようなフラットケーブルの接続に適している。
【０００９】
また、本発明に係るコネクタは、カバー部材が閉塞部材に取り付けられるとともに、接続端子に接続されたフラットケーブルが保持部材により係止されるような構成となっているため、接続端子に差し込まれるようにして接続され弾性的に挟持されているフラットケーブルの接続端子からの抜けを防止することができ、平板帯状のフラットケーブルを保持部材により確実にコネクタに保持させることが可能である。
【発明を実施するための最良の形態】
【００１０】
以下、本発明の好ましい実施形態について図１乃至図１９を参照して説明する。なお、以降の説明においては、図４および図５の状態を基準にして前後左右、および、上下を定義する。図１、図４および図５に示すように、本発明に係るコネクタ１は、カバー１０、防水ゴム２０、リテーナ３０、複数の接続端子４０，５０、ハウジング６０とから構成される。カバー１０の後方からカバー１０内部にフレキシブルフラットケーブル１００（以下、「ＦＦＣ１００」という）が挿入され、ＦＦＣ１００が防水ゴム２０およびリテーナ３０に通された上で、ＦＦＣ１００先端がハウジング６０に保持されている複数の接続端子４０，５０に接続される。その上で、カバー１０をハウジング６０の後方からハウジング６０に係合させることで、コネクタ１（雌コネクタ）が組み立てられる。このコネクタ１には、雄コネクタである図示しない相手側コネクタを嵌合接続させることが可能である。
【００１１】
なお、ＦＦＣ１００は、銅の表面に錫メッキを施した断面矩形状の導体１０１を一定間隔に並べ、両面を絶縁フィルム１０２（プラスチックフィルムテープ）で挟み（図１４参照）、熱と圧力を加えてテープ接合面を熱溶着することで作成され、導体１０１が幅方向に並んで配線された平板帯状の形状からなる。このＦＦＣ１００は可撓性を有し、プリンタ等の電子機器のプリント基板相互間や、プリント基板上の電子部品間の接続用リード線として用いられる。図１４に示すように、ＦＦＣ１００の先端側には、コネクタ１に挿し込み易いように補強板１０３が貼り合わされている。ＦＦＣ１００の先端部（端子部）には上下に切り欠かれた上下一対の切欠部１０４，１０４が形成されている。
【００１２】
カバー１０、リテーナ３０およびハウジング６０は、例えばナイロン６，６を材質として射出成形等により所定の形状に作製されるが、必ずしもこの材質に限定されるわけではない。また、接続端子４０，５０は、例えば銅合金を材質として板材を所定の形状に打抜加工および曲げ加工して作製される。
【００１３】
カバー１０は、左右幅方向に１２〜１３ｍｍ程度、前後に５ｍｍ程度、上下に１０ｍｍ程度の大きさで、四隅が丸い正面視略矩形状の形状をなしている。カバー１０の前面側には開口１１が形成され、開口１１から後方に延びてカバー１０の上下左右および後部の壁面で囲まれてカバー１０に係合するハウジング６０の後部を収容可能な収容空間１２が形成されている。カバー１０の左右の側壁部１３，１３の先端は、ハウジング６０に係合可能な係合部１８となっている。カバー１０後部である後壁部１４には、上下にスリット状に延びてＦＦＣ１００を挿入可能なケーブル挿入孔が後壁部１４を前後に貫通するように形成されている。このケーブル挿入孔は、後壁部１４の後面側に形成された後面側挿通孔１５ａと、後面側挿通孔１５ａと連通し後壁部１４の収容空間１２側に形成された空間側挿通孔１５ｂとから構成され、左右に並んで４箇所形成されている。後面側挿通孔１５ａは、後方に向かって拡開するテーパ状に形成されており、これにより、カバー１０の後方から後面側挿通孔１５ａ内にＦＦＣ１００を挿入し易くなっている。
【００１４】
後壁部１４の内面側（収容空間１２側）からは、後述する防水ゴム２０に圧入装着される突起状のポスト１６が前方に向かって、すなわち、収容空間１２側に向かって突出形成されている。ポスト１６は、ケーブル挿入孔と交互に左右に並んで形成されている。左右に並んだポスト１６のうち、最も左側に形成されたポスト１６は、収容空間１２の上部に形成されたポスト１６および収容空間１２の下部に形成されたポスト１６からなり、これら上下のポスト１６，１６の間に押出部１７が前方に突出形成されている。押出部１７は、ポスト１６と同様に後壁部１４の内面側から収容空間１２に突出しており、その突出長さはポスト１６よりも長くなっている。この押出部１７は後述するリテーナ３０に当接するとリテーナ３０を移動させることが可能である。押出部１７の先端部であって右側側面にはテーパ面１７ａ（図７（ａ）参照）が形成されており、押出部１７は先細状になっている。
【００１５】
カバー１０の側壁部１３は左右に弾性変形可能であって、その先端は上述したように係合部１８を構成している。この係合部１８が後述するハウジング６０に形成された係止部６３，６４に係合することで、カバー１０がハウジング６０に装着される。
【００１６】
防水ゴム２０は、ハウジング６０の後部に後方に向けて開口する（図１６参照）開口６８から収容空間６９においてリテーナ３０の後方に配置されるもので、収容空間６９に嵌合するように四隅の丸い略矩形の板状に形成されている。収容空間６９に配置された防水ゴム２０は、ハウジング６０に密着する状態で開口６８を塞いでいる（図１７参照）。防水ゴム２０には、上下に延びる長穴部２１が前後に貫通して形成されている。長穴部２１は、左右に並んで複数形成されており、ＦＦＣ１００を前方に通過させることができる。最も左側に形成された長穴部２１の左方には、防水ゴム２０を前後に貫通して押出部挿通孔２２が形成されている。この押出部挿通孔２２にはカバー１０に形成された押出部１７が通される。
【００１７】
長穴部２１と交互に左右に並んで防水ゴム２０の後面側から前方に延びるポスト圧入凹部２３が複数形成されている。このポスト圧入凹部２３は防水ゴム２０の前面側にまで貫通しておらず、カバー１０がハウジング６０に係合するとカバー１０に形成された各ポスト１６がポスト圧入凹部２３に装着されるように構成されている。なお、ポスト１６が装着される部分を防水ゴム２０の前面側に貫通する穴にすると、防水ゴム２０の前面側に水分等が漏れるため、ポスト圧入凹部２３はあくまでも不貫通穴部で構成される。
【００１８】
防水ゴム２０の防水性を高めるため、カバー１０および防水ゴム２０が以下のように構成されている。ポスト１６のサイズはポスト圧入凹部２３よりも大きく設定してあるため、ポスト１６がポスト圧入凹部２３に圧入されるようにして装着され、ポスト１６が装着されるとポスト１６がポスト圧入凹部２３を押し広げてポスト１６に密着する。長穴部２１および押出部挿通孔２２は、その内部が波形状になっておいる（図１０（ａ）参照）。図１１に示すように、長穴部２１に挿入されたＦＦＣ１００は、長穴部２１に対して左右のポスト圧入凹部２３を弾性的に押し拡げたポスト１６，１６により左右両側から圧力Ｐを受け、これにより波形状の長穴部２１がＦＦＣ１００の表面に密着して防水性が向上される。
【００１９】
リテーナ３０は、防水ゴム２０よりも小さく形成された全体として四隅の丸い略矩形状に形成されており、リテーナ３０には、ＦＦＣ１００を挿入可能な上下にスリット状に延びるケーブル挿通孔３１が前後に貫通するように形成されている。このケーブル挿通孔３１は左右に間隔をおいて並んで複数形成されている。各々のケーブル挿通孔３１の上部および下部には、ケーブル挿通孔３１に挿入されたＦＦＣ１００を係止可能な係止部３２が形成されている。上部の係止部３２は、ケーブル挿通孔３１の上面から下方に突出形成され、下部の係止部３２は、ケーブル挿通孔３１の下面から上部の係止部３２に対向するようにして上方に突出形成されている。また、係止部３２は各ケーブル挿通孔３１において、ケーブル挿通孔３１の左側壁面から右方に突出形成されており、係止部３２の右側側面とケーブル挿通孔３１との間には、隙間が形成されている（図１２（ａ），（ｂ）参照）。
【００２０】
ＦＦＣ１００をケーブル挿通孔３１に通すときには、当該隙間にＦＦＣ１００を通した上で、ＦＦＣ１００の切欠部１０４が当該隙間の下方の位置に位置するようにＦＦＣ１００を合わせる。この状態においては、ＦＦＣ１００は係止部３２により係止されていないため、ＦＦＣ１００を後方に移動させてリテーナ３０から抜き出すことが可能である。このようなＦＦＣ１００の位置を非係止位置とする。一方、ＦＦＣ１００が係止部３２の下方の位置に位置すると、ＦＦＣ１００を後方に移動させてリテーナ３０から抜き出そうとしても、ＦＦＣ１０の切欠部１０４の前面が係止部３２の前面に引っ掛かるため、ＦＦＣ１００の後方への移動が拘束される。このような、ＦＦＣ１００の後方への移動が拘束されるＦＦＣ１００の位置を係止位置とする。
【００２１】
リテーナ３０の左側側面には、左右に凹んで前後に延びる凹部３３が形成されている。凹部３３における前後に延びる側面であってその後部にはテーパ面３４が形成されている（図１３（ａ）および図１７参照）。後述するように、カバー１０のポスト１６が防水ゴム２０のポスト圧入凹部２３に入り込むとともに、凹部３３にカバー１０の押出部１７が入り込むようになっている。
【００２２】
ケーブル挿通孔３１は、左右に４箇所並んで形成されているが、こられのうち内側の２箇所のケーブル挿通孔３１には、１つのケーブル挿通孔３１当たり２箇所の左右に凹んだ端子収容部３５が形成されている（図１２（ａ）参照）。端子収容部３５は、ケーブル挿通孔３１の左右の側面に対向するように左右１組形成されたものが上下に２組並んでいる。端子収容部３５には、接続端子４０の一部（基端側）が収容され、４箇所の端子収容部３５により計４個の接続端子４０が収容される。また、４箇所のケーブル挿通孔３１のうち外側の左右２箇所のケーブル挿通孔３１には、１つのケーブル挿通孔３１当たり１２箇所の左右に凹んだ端子収容部３６が形成されている（図１２（ａ）参照）。端子収容部３６は、ケーブル挿通孔３１の左右の側面に対向するように左右１組形成されたものが上下に６組並んでいる。端子収容部３６には、ＦＦＣ１００に接続された接続端子５０の一部（基端側）が収容される。このようにしてリテーナ３０には、４本の接続端子４０が収容され、１２本の接続端子５０が収容される。
【００２３】
ハウジング６０は、カバー１０の前面側に形成された収容空間１２に嵌合するように断面略矩形状であって、その前部に前方に開口する開口６１が形成され、開口６１から前後に延びて上下左右が囲まれ、接続端子４０，５０を収容可能な端子収容空間６２が形成されている。また、ハウジング６０の後部に後方に開口する開口６８が形成され、開口６８から前後に延びて上下左右が囲まれ、防水ゴム２０およびリテーナ３０を収容可能な収容空間６９が形成されている。端子収容空間６２および収容空間６９は、左右に延びる壁部６６によって隔てられている。
【００２４】
ハウジング６０の左右側面には、各々外方に突出する２箇所の係止部６３，６４が形成されている。ハウジング６０の左側側面に形成された係止部６３は、係止部６４よりも後方の位置であって斜め下方に位置に位置している。また、ハウジング６０の右側側面に形成された係止部６３は、係止部６４よりも後方の位置であって斜め上方に位置に位置している。
【００２５】
収容空間６２，６９を隔てる壁部６６には、前後に延びて端子収容空間６２および収容空間６９が連通される端子挿入孔６５ａ，６５ｂが形成されている。端子挿入孔６５ａには接続端子４０が挿入され、端子挿入孔６５ｂには接続端子５０が挿入される。また、壁部６６の収容空間６９側壁面から端子収容空間６２側に向かって前後に延びるケーブル受容部６７が形成されている。ケーブル受容部６７は、収容空間６９の上面が上方に凹んで形成された上側のケーブル受容部６７と、収容空間６９の下面が下方に凹んで形成された下側のケーブル受容部６７とからなる。上下両側のケーブル受容部６７は、各々左右に４箇所ずつ並んで対向するようにして形成されている。コネクタ１に取り付けられる４枚のＦＦＣ１００の前端部の一部（上部および下部）は、凹みに挿入されるようにして各々ケーブル受容部６７の凹みに挿入されるようにしてケーブル受容部６７に受容される。
【００２６】
接続端子４０は、コネクタ１に嵌合される相手側コネクタの接続端子に接続され、前後にタブ状に延びるコネクタ接続部４１と、コネクタ接続部４１の後方にコネクタ接続部４１と一体形成されて後方に延びる箱型のケーブル接続部４２とから構成されている。ケーブル接続部４２の左右の側面は、カバー１０、防水ゴム２０およびリテーナ３０を通して後方から挿入されたＦＦＣ１００を挟持する挟持部４４に一体に繋がる基部４３を構成している。挟持部４４は、左右の基部４３の前部が各々折り返されて前方に対向するようにして「くの字」に延びて構成されている。挟持部４４は左右に弾性揺動可能であり、屈曲点を接触部４５として挿入されたＦＦＣ１００が弾性的に挟持される。
【００２７】
接続端子５０は、コネクタ１に嵌合される相手側コネクタの接続端子に接続され、前後に棒状に延びるコネクタ接続部５１と、コネクタ接続部５１の後方にコネクタ接続部５１と一体形成されて後方に延びるケーブル接続部５２とから構成されている。ケーブル接続部５２は、後方にアーム状に延びて左右に弾性揺動可能な左右一対の挟持部５３を有している。挟持部５３，５３の先端の接触部５４，５４で、カバー１０、防水ゴム２０およびリテーナ３０を通して後方から挿入されたＦＦＣ１００が弾性的に挟持される。
【００２８】
以上、カバー１０、防水ゴム２０、リテーナ３０、ハウジング６０および接続端子４０，５０の構成について説明したが、以下では、カバー１０のハウジング６０への取り付けにともなうリテーナ３０によるＦＦＣ１００の係止について、図１４、図１７乃至図１９を中心に説明する。
【００２９】
図１７に示す状態は、カバー１０の係合部１８が、ハウジング６０の係止部６３，６４のうち係止部６３のみ係合している。カバー１０のポスト１６は、防水ゴム２０のポスト圧入凹部２３に装着されてはいない。この状態では、カバー１０はハウジング６０に対して仮止めされた状態になっている。カバー１０および防水ゴム２０を通されたＦＦＣ１００はリテーナ３０に通され、ＦＦＣ１００の先端は接続端子４０，５０に接続されているが、カバー１０の仮止め状態ではケーブル挿通孔３１に通されたＦＦＣ１００は係止部３２に完全には係止されていない（図１９（ａ）参照）。また、図１７に示すように、カバー１０の仮止め状態では、リテーナ３０はハウジング６０の収納空間６９において左方の位置（非係止位置）に位置しており、リテーナ３０の右側側面と収納空間６９の壁面との間には、隙間Ｃが形成されている。
【００３０】
カバー１０の係合部１８がハウジング６０の係止部６３だけでなく係止部６４にも係合するようにカバー１０が前方に移動すると、カバー１０のポスト１６が防水ゴム２０のポスト圧入凹部２３に装着され、押出部１７がリテーナ３０の左側側面に形成された凹部３３に入り込む。押出部１７がリテーナ３０の凹部３３に入り込むと、凹部３３に形成されたテーパ面３４に押出部１７の先端に形成されたテーパ面１７ａが当接し、押出部１７の前方への移動とともにリテーナ３０は押出部１７により右方に押し出される。これにより、リテーナ３０の右側側面と収納空間６９の壁面との間の隙間Ｃが狭くなり、最終的にはリテーナ３０が押出部１７により右方に押し付けられるような状態になって隙間Ｃが消失する。
【００３１】
リテーナ３０が右方に移動した状態では（係止位置に位置する状態では）、ＦＦＣ１００の切欠部１０４が上下に形成された係止部３２の間に入り込んで、ＦＦＣ１００が完全に係止部３２により係止される（図１９（ｂ）参照）。この状態では、図１４において表されている紙面左側の２本のＦＣＣ１００のように、ＦＦＣ１００が後方に引っ張られる力を受けたとしても、切欠部１０４の前面が係止部３２の前面に引っ掛かるため、ＦＦＣ１００の後方への移動が拘束されて接続端子４０，５０から外れることはない。
【００３２】
以上、本発明の好ましい実施形態について説明したが、本発明のコネクタによれば、カバー１０およびこれに装着される防水ゴム２０を用いることで、フレキシブルフラットケーブルのような平板帯状のケーブルを使用したコネクタを確実に防水することが可能である。また、リテーナ３０を用いることで防水とともにフレキシブルフラットケーブルを確実に固定保持することが可能であり、本発明のコネクタは、フレキシブルフラットケーブルを用いるのに適した構成となっている。
【図面の簡単な説明】
【００３３】
【図１】本発明に係るコネクタを示す図で、（ａ）はその前方側から視た斜視図で、（ｂ）その後方側から視た斜視図である。
【図２】上記コネクタを示す図で、（ａ）は正面図で、（ｂ）は平面図で、（ｃ）は後面図で、（ｄ）は左側面図で、（ｅ）は底面図である。
【図３】上記コネクタを示す図で、図２（ｃ）のＡ−Ａ断面図である。
【図４】上記コネクタを前方から視た分解斜視図である。
【図５】上記コネクタを後方から視た分解斜視図である。
【図６】上記コネクタを構成するカバーを示す図で、（ａ）は正面図で、（ｂ）は平面図で、（ｃ）は後面図で、（ｄ）は左側面図である。
【図７】上記コネクタを構成するカバーを示す図で、（ａ）は図６（ｃ）のＡ−Ａ断面図で、（ｂ）は図６（ａ）のＢ−Ｂ断面図である。
【図８】上記カバーの正面側の様子を示す斜視図である。
【図９】上記コネクタを構成する防水ゴムを示す図で、（ａ）は正面図で、（ｂ）は平面図で、（ｃ）は後面図で、（ｄ）は左側面図である。
【図１０】上記コネクタを構成する防水ゴムを示す図で、（ａ）は図９（ａ）のＡ−Ａ断面図で、（ｂ）は図９（ｃ）のＢ−Ｂ断面図である。
【図１１】カバーのポストが防水ゴムのポスト圧入凹部に装着されたときの様子を示す図である。
【図１２】上記コネクタを構成するリテーナを示す図で、（ａ）は正面図で、（ｂ）は平面図で、（ｃ）は後面図で、（ｄ）は右側面図で、（ｅ）は左側面図である。
【図１３】上記コネクタを構成するリテーナを示す図で、（ａ）は図１２（ｃ）のＡ−Ａ断面図で、（ｂ）は図１２（ａ）のＢ−Ｂ断面図で、（ｃ）は図１２（ｂ）のＣ−Ｃ断面図である。
【図１４】リテーナおよびこれに係止されるＦＦＣの様子を示す斜視図である。
【図１５】上記コネクタを構成するハウジングを示す図で、（ａ）は正面図で、（ｂ）は平面図で、（ｃ）は後面図で、（ｄ）は左側面図である。
【図１６】上記コネクタを構成するハウジングを示す図で、（ａ）は図１５（ｃ）のＡ−Ａ断面図で、（ｂ）は図１５（ｂ）のＢ−Ｂ断面図で、（ｃ）は図１５（ａ）のＣ−Ｃ断面図である。
【図１７】上記カバーがハウジングに仮止めされている状態を示す図である。
【図１８】上記カバーがハウジングに完全に装着されている状態を示す図である。
【図１９】（ａ）はＦＦＣがリテーナに仮止めされている状態を示す図で、（ｂ）はＦＦＣがリテーナに係止されている状態を示す図である。
【符号の説明】
【００３４】
１  コネクタ
１０  カバー（カバー部材）
１１  開口
１５ａ  後面側挿通孔
１５ｂ  空間側挿通孔
１６  ポスト（突出部）
１７  押出部
１７ａ  テーパ面
１８  係合部
２０  防水ゴム（閉塞部材）
２１  長穴部（ケーブル取付孔）
２２  押出部挿通孔
２３  ポスト圧入凹部
３０  リテーナ（保持部材）
３１  ケーブル挿通孔
３２  係止部
３３  凹部
３４  テーパ面（当接部）
３５，３６  端子収容部
４０  接続端子
５０  接続端子
６０  ハウジング（収容部材）
６１  開口
６３，６４  係止部
６５ａ，６５ｂ  端子挿入孔
６７  ケーブル受容部
６８  開口
１００  フレキシブルフラットケーブル（ＦＦＣ）
１０１  導体
１０２  絶縁フィルム
１０３  補強板
１０４  切欠部
【図１】
2008084671.tif 000003
【図２】
2008084671.tif 000004
【図３】
2008084671.tif 000005
【図４】
2008084671.tif 000006
【図５】
2008084671.tif 000007
【図６】
2008084671.tif 000008
【図７】
2008084671.tif 000009
【図８】
2008084671.tif 000010
【図９】
2008084671.tif 000011
【図１０】
2008084671.tif 000012
【図１１】
2008084671.tif 000013
【図１２】
2008084671.tif 000014
【図１３】
2008084671.tif 000015
【図１４】
2008084671.tif 000016
【図１５】
2008084671.tif 000017
【図１６】
2008084671.tif 000018
【図１７】
2008084671.tif 000019
【図１８】
2008084671.tif 000020
【図１９】
2008084671.tif 000021